【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
無線ネットワーク内の第１のデバイスにおいて、チャネル資源を割り当てる方法であって、前記方法は、
チャネル資源を要請するコーディネーターに帯域幅要請命令を伝送することであって、前記帯域幅要請命令は、前記要請されたチャネル資源が双方向チャネルタイムブロック（ＣＴＢ）であることを示すインジケータと、割り当てられるＣＴＢの数に関連する情報と、最小スケジュールピリオドおよび最大スケジュールピリオドに関する情報とを含み、前記双方向ＣＴＢは、第１のＣＴＢと第２のＣＴＢとを含み、前記第１のＣＴＢは、前記第１のデバイスによって、第１のメッセージを第２のデバイスに伝送するために使用され、前記第２のＣＴＢは、前記第１のメッセージに応答して、前記第２のデバイスによって、第２のメッセージを前記第１のデバイスに伝送するために使用される、ことと、
前記第１のＣＴＢおよび前記第２のＣＴＢをスーパーフレーム内に割り当てるための割り当て情報を前記コーディネーターから受信することであって、前記割り当て情報は、前記割り当てられた第１のＣＴＢおよび第２のＣＴＢが前記双方向ＣＴＢであることを示す第１のフィールドを含む、ことと、
前記第１のＣＴＢを用いて前記第２のデバイスに前記第１のメッセージを伝送することと、
前記第１のメッセージに応答して、前記第２のＣＴＢを用いることによって、前記第２のデバイスから前記第２のメッセージを受信することと
を含む、方法。
【請求項２】
前記割り当て情報は、前記コーディネーターによって放送されたビーコン内で受信される、請求項１に記載の方法。
【請求項３】
前記割り当て情報は、前記無線ネットワーク内で使用される高レート物理（ＨＲＰ）チャネルおよび低レート物理（ＬＲＰ）チャネルの中のＬＲＰチャネルにおいて受信される、請求項１に記載の方法。
【請求項４】
前記割り当て情報は、前記割り当てられた第１のＣＴＢおよび第２のＣＴＢが静的スケジュールまたは動的スケジュールに関連するか否かを示す第２のフィールドをさらに含む、請求項１に記載の方法。
【請求項５】
前記割り当て情報は、前記第１のＣＴＢおよび第２のＣＴＢにおいて使用されるＰＨＹモードを示す第３のフィールドをさらに含む、請求項４に記載の方法。
【請求項６】
無線ネットワーク内のコーディネーターにおいて、チャネル資源を割り当てる方法であって、前記方法は、
チャネル資源を要請するために第１のデバイスから帯域幅要請命令を受信することであって、前記帯域幅要請命令は、前記要請されたチャネル資源が双方向チャネルタイムブロック（ＣＴＢ）であることを示すインジケータと、割り当てられるＣＴＢの数に関連する情報と、最小スケジュールピリオドおよび最大スケジュールピリオドに関する情報とを含み、前記双方向ＣＴＢは、第１のＣＴＢと第２のＣＴＢとを含み、前記第１のＣＴＢは、前記第１のデバイスによって、第１のメッセージを第２のデバイスに伝送するために使用され、前記第２のＣＴＢは、前記第１のメッセージに応答して、前記第２のデバイスによって、第２のメッセージを前記第１のデバイスに伝送するために使用される、ことと、
前記第１のＣＴＢおよび前記第２のＣＴＢをスーパーフレーム内に割り当てるための割り当て情報を放送することであって、前記割り当て情報は、前記割り当てられた第１のＣＴＢおよび第２のＣＴＢが前記双方向ＣＴＢであることを示す第１のフィールドを含む、ことと
を含む、方法。
【請求項７】
前記割り当て情報は、放送されたビーコン内に含まれる、請求項６に記載の方法。
【請求項８】
前記第２のメッセージは、前記第１のメッセージへの応答である、請求項６に記載の方法。
【請求項９】
前記割り当て情報は、前記無線ネットワーク内で使用される高レート物理（ＨＲＰ）チャネルおよび低レート物理（ＬＲＰ）チャネルの中のＬＲＰチャネルにおいて放送される、請求項６に記載の方法。
【請求項１０】
前記割り当て情報は、前記割り当てられた第１のＣＴＢおよび第２のＣＴＢが静的スケジュールまたは動的スケジュールに関連するか否かを示す第２のフィールドをさらに含む、請求項６に記載の方法。
【請求項１１】
前記割り当て情報は、前記第１のＣＴＢおよび第２のＣＴＢにおいて使用されるＰＨＹモードを示す第３のフィールドをさらに含む、請求項１０に記載の方法。
【請求項１２】
前記割り当て情報を受信する前に、前記帯域幅要請命令に応答して帯域幅応答命令を前記コーディネーターから受信することをさらに含み、前記帯域幅応答命令は、前記第１のＣＴＢおよび前記第２のＣＴＢが前記スーパーフレーム内に割り当てられることが可能であることを示す「ＳＵＣＣＥＳＳ」の理由コードを含む、請求項１に記載の方法。
【請求項１３】
前記割り当て情報を放送する前に、前記帯域幅要請命令に応答して帯域幅応答命令を前記第１のデバイスに伝送することをさらに含み、前記帯域幅応答命令は、前記第１のＣＴＢおよび前記第２のＣＴＢが前記スーパーフレーム内に割り当てられることが可能であることを示す「ＳＵＣＣＥＳＳ」の理由コードを含む、請求項６に記載の方法。
【請求項１４】
前記インジケータは、前記要請されたチャネル資源が、前記第１のＣＴＢおよび前記第２のＣＴＢの対である場合には、１に設定される、請求項１に記載の方法。
【請求項１５】
前記インジケータは、前記要請されたチャネル資源が、前記第１のＣＴＢおよび前記第２のＣＴＢの対である場合には、１に設定される、請求項６に記載の方法。
【手続補正２】
【補正対象書類名】明細書
【補正対象項目名】００２２
【補正方法】変更
【補正の内容】
【００２２】
前記上位階層は、ＡＶＣプロトコル階層及びＤＴＣＰ（Digital Transmission Content Protection）階層のうち一つでありうる。
例えば、本発明は以下の項目を提供する。
（項目１）
無線ネットワークでデータパケットを伝送する方法であって、
特定データパケットを伝送するための第１チャネル時間ブロックと上記特定データパケットに対する応答を受信するための第２チャネル時間ブロックとを含む両方向チャネル時間ブロックの割当を要請する段階と、
上記第１チャネル時間ブロックを通じて上記特定データパケットを送信する段階と、
上記第２チャネル時間ブロックを通じて上記特定データパケットに対する応答を受信する段階と、を含み、
上記両方向チャネル時間ブロックは、スーパーフレーム内の非予約領域内に割り当てられるようにあらかじめ設定されることを特徴とする、データパケット伝送方法。
（項目２）
上記非予約領域は、上記特定データパケットのために非予約状態に維持されることを特徴とする、項目１に記載のデータパケット伝送方法。
（項目３）
上記非予約領域は、上記特定データパケットのための割当要請がない場合、競争基盤として用いられることを特徴とする、項目１に記載のデータパケット伝送方法。
（項目４）
上記特定データパケットは、Round Trip Time（ＲＴＴ）＿ＴＥＳＴと関連することを特徴とする、項目１に記載のデータパケット伝送方法。
（項目５）
上記両方向チャネル時間ブロックは、上記特定データパケットが伝送され、上記応答が受信される往復時間（round trip time）を考慮して割り当てられることを特徴とする、
項目１に記載のデータパケット伝送方法。
（項目６）
上記特定データパケットは、上位階層から受信されることを特徴とする、項目１に記載のデータパケット伝送方法。
（項目７）
上記上位階層は、ＡＶＣプロトコル階層及びＤＴＣＰ（Digital Transmission Content Protection）階層のうち一つであることを特徴とする、項目６に記載のデータパケット伝送方法。
（項目８）
無線ネットワークでデータパケットを伝送する方法であって、
第１データパケットを伝送するための第１伝送ブロック及び第２データパケットを伝送するための第２伝送ブロックを同時に予約する段階と、
上記第１伝送ブロックを通じて上記第１データパケットを伝送する段階と、
上記第２伝送ブロックを通じて上記第２データパケットを受信する段階と、
を含み、
上記第１伝送ブロックと上記第２伝送ブロック間の少なくとも一つのスケジュールピリオド（schedule period）は、上記第１データパケットが伝送され、上記第２データパケ
ットが受信される時間間隔に基づいて決定されることを特徴とする、データパケット伝送方法。
（項目９）
上記第１伝送ブロック及び上記第２伝送ブロックは、スーパーフレーム内の上記第１データパケット及び上記第２データパケットのために非予約状態に維持される非予約領域に割り当てられるようにあらかじめ設定されることを特徴とする、項目８に記載のデータパケット伝送方法。
（項目１０）
上記非予約領域は、上記第１データパケット及び上記第２データパケットのための割当要請がない場合、競争基盤として用いられることを特徴とする、項目９に記載のデータパケット伝送方法。
（項目１１）
上記第１データパケット及び上記第２データパケットのそれぞれは、認証キー値と関連することを特徴とする、項目８に記載のデータパケット伝送方法。
（項目１２）
上記第２伝送ブロックは、上記第１伝送ブロックと隣接することを特徴とする、項目８に記載のデータパケット伝送方法。
（項目１３）
上記少なくとも一つのスケジュールピリオドは、最大スケジュールピリオド及び最小スケジュールピリオドを含むことを特徴とする、項目８に記載のデータパケット伝送方法。
（項目１４）
調整器及び少なくとも一つのデバイスを含むwireless HDシステムで通信チャネルを割り当てる方法であって、
第１デバイスから上記調整器に、第１メッセージを伝送するための第１チャネル及び第２メッセージを受信するための第２チャネルの割当のための要請命令語を伝送する段階と、
上記調整器から、上記要請命令語に対する応答を受信する段階と、
第２デバイスに、上記第１チャネルを通じて上記第１メッセージを伝送する段階と、
上記第２デバイスから、上記第２チャネルを通じて上記第２メッセージを受信する段階と、
を含む、チャネル割当方法。
（項目１５）
上記第１チャネル及び上記第２チャネルは、上記第１メッセージが伝送され、上記第２メッセージが受信されるべき時間制限を考慮して割り当てられることを特徴とする、項目１４に記載のチャネル割当方法。
（項目１６）
上記第１メッセージは、Round Trip Time（ＲＴＴ）＿ＴＥＳＴ命令語であり、上記第２メッセージはＲＴＴ＿ＴＥＳＴ応答命令語であることを特徴とする、項目１４に記載のチャネル割当方法。
（項目１７）
上記第１メッセージと上記第２メッセージ間の往復時間を特定する段階と、
上記往復時間に対する情報を上位階層に伝送する段階と、
をさらに含むことを特徴とする、項目１４に記載のチャネル割当方法。
（項目１８）
上記上位階層は、ＡＶＣプロトコル階層及びＤＴＣＰ（Digital Transmission Content Protection）階層のうち一つであることを特徴とする、項目１７に記載のチャネル割当方法。